(57)【要約】【課題】電波式のセンサの検知感度の低下を抑えた照明器具及びそれを用いた照明システムを提供する。【解決手段】照明器具Ａは、例えば蛍光ランプなどの光源２と、所定の検知エリア内の人の存否を検出する電波式のセンサ３と、センサ３の検出結果に基づいて光源２への出力電力を制御する点灯回路と、光源２及びセンサ３と照明領域との間に配置される透光パネル４と、透光パネル４においてセンサ３と対向する部位に設けられ、透光パネル４の厚み寸法を調節する透光部材５とを備える。透光部材５の厚み寸法は、透光パネル４で反射される電磁波が低減されるように、電磁波の透光パネル４への入射角に応じて設定されている。【選択図】図１
2011243463.tif 000002
【特許請求の範囲】
【請求項１】
光源と、所定の検知エリア内の人の存否を検出する電波式のセンサと、前記センサの検出結果に基づいて前記光源への出力電力を制御する点灯回路と、前記光源及び前記センサと照明領域との間に配置される透光パネルと、前記透光パネルにおいて前記センサと対向する部位に設けられ、前記透光パネルの厚み寸法を調節する透光部材とを備え、
前記透光部材の厚み寸法を加えた前記透光パネルの厚み寸法をｄ、前記センサから発信される電磁波の波長をλ、前記透光パネル及び前記透光部材の比誘電率をεｒ、前記電磁波の前記透光パネルへの入射角をφ、レドーム次数をＮとすると、
【数１】
2011243463.tif 000006
を満たすように、前記入射角に応じて前記透光部材の厚み寸法が設定されていることを特徴とする照明器具。
【請求項２】
前記透光部材は前記透光パネルと同一材料からなり、前記透光パネルと一体に成形されていることを特徴とする請求項１記載の照明器具。
【請求項３】
請求項１又は２記載の照明器具を複数備えていることを特徴とする照明システム。
【発明の詳細な説明】
【技術分野】
【０００１】
本発明は、照明器具及びそれを用いた照明システムに関するものである。
【背景技術】
【０００２】
従来より、人体検出用のセンサを用いた照明器具が提供されている（例えば特許文献１参照）。この照明器具は、センサにより人体が検出されている間は照明を点灯させ、センサにより人体が検出されなくなると一定時間経過後に照明を消灯させている。そして、この照明器具を用いることで照明の消し忘れを防止できるとともに、利便性の向上、省エネルギー化及び安全化が図れることから、施設の階段や通路などのように利用頻度が少ない場所に設置される照明器具として普及しつつある。
【０００３】
このような照明器具に取り付けられるセンサとしては、ＰＩＲ（Ｐａｓｓｉｖｅ  Ｉｎｆｒａｒｅｄ  Ｒａｄｉａｔｉｏｎ）センサが使用されることが多い。このＰＩＲセンサはパッシブ型のセンサであり、人の動きなどによる温度変化を感知して所定の信号を出力するものである。しかしながら、このようなＰＩＲセンサは検知範囲が狭く、例えば工場や倉庫などのように検知範囲が広い場所には不向きであることから、このような場所では検知範囲の広いアクティブ型のセンサが使用されることになる。
【０００４】
アクティブ型センサは、自らが発信した信号と、物体（例えば人体など）で反射して戻ってきた信号との差分に基づいて物体の有無を検出できるようになっており、ＰＩＲセンサのようなパッシブ型のセンサに比べて高精度である。このようなアクティブ型センサとしては、例えばミリ波センサや測距センサなどが挙げられ、電波を利用したミリ波センサでは、特定のエリアに向かって発信したミリ波と、物体で反射して戻ってきたミリ波との周波数差を検出することで物体の有無を検出することができる。
【０００５】
ところで、施設の階段や通路などに設置される照明器具は、直視した際の眩しさを抑制するとともに意匠性を考慮して、光源の前方にパネル（例えばガラス製）が取り付けられることが多く、上述のＰＩＲセンサを用いた場合にはパネルによってセンサの検出精度が低下する可能性があった。そのため、このような照明器具には、ガラスに対する透過率がＰＩＲセンサよりも高い電波式のセンサ（例えば上述のミリ波センサなど）が使用されることになる。
【先行技術文献】
【特許文献】
【０００６】
【特許文献１】特開２００１−３３８５２２号公報（段落［００２１］−段落［００４４］、及び、第１図−第９図）
【発明の概要】
【発明が解決しようとする課題】
【０００７】
しかしながら、上述した電波式のセンサであっても、パネルの材質や厚み、パネルとセンサとの距離などによって少なからずパネルの影響を受けることになり、それぞれのパラメータのわずかな変動によってその影響度合いは大きく変動する。例えば、パネルの厚みが適切な厚みに設定されていない場合には、反射や減衰による透過ロスが大きくなり、その結果検知感度が大幅に低下する場合があった。
【０００８】
本発明は上記問題点に鑑みて為されたものであり、その目的とするところは、電波式のセンサの検知感度の低下を抑えた照明器具及びそれを用いた照明システムを提供することにある。
【課題を解決するための手段】
【０００９】
本発明の照明器具は、光源と、所定の検知エリア内の人の存否を検出する電波式のセンサと、センサの検出結果に基づいて光源への出力電力を制御する点灯回路と、光源及びセンサと照明領域との間に配置される透光パネルと、透光パネルにおいてセンサと対向する部位に設けられ、透光パネルの厚み寸法を調節する透光部材とを備え、透光部材の厚み寸法を加えた透光パネルの厚み寸法をｄ、センサから発信される電磁波の波長をλ、透光パネル及び透光部材の比誘電率をεｒ、電磁波の透光パネルへの入射角をφ、レドーム次数をＮとすると、
【００１０】
【数１】
2011243463.tif 000003
【００１１】
を満たすように、入射角に応じて透光部材の厚み寸法が設定されていることを特徴とする。
【００１２】
この照明器具において、透光部材は透光パネルと同一材料からなり、透光パネルと一体に成形されているのが好ましい。
【００１３】
本発明の照明システムは、上記の照明器具を複数備えていることを特徴とする。
【発明の効果】
【００１４】
電波式のセンサの検知感度の低下を抑えた照明器具及び照明システムを提供することができるという効果がある。
【図面の簡単な説明】
【００１５】
【図１】本発明に係る照明器具を示す模式図である。
【図２】同上の要部詳細図である。
【図３】同上の概略ブロック図である。
【発明を実施するための形態】
【００１６】
以下に、本発明に係る照明器具の実施形態を図１〜図３に基づいて説明する。本実施形態の照明器具Ａは、図１に示すように、例えば壁面Ｗ１に取り付けられて、階段や通路などの照明領域を照らすために用いられる。
【００１７】
図１は本実施形態の照明器具Ａを示す模式図であり、本照明器具Ａは、光源２と、所定の検知エリア内の人の存否を検出する電波式のセンサ３と、光源２及びセンサ３と照明領域との間に配置される板状の透光パネル４とを備える。
【００１８】
光源２は、例えば直管形の蛍光ランプからなり、図示しないランプソケットを用いて器具本体１に取り付けられている。また、センサ３は、例えば２４ＧＨｚのミリ波を利用したミリ波センサからなり、適宜の取付手段により器具本体１に取り付けられている。透光パネル４は、例えば透光性を有するアクリル樹脂からなり、光源２及びセンサ３を覆うようにして前方（図１中の右側）に配置されている。つまり、本実施形態の照明器具Ａでは、図１において透光パネル４の右側が照明領域となっている。
【００１９】
また、図３は本照明器具Ａの概略ブロック図であり、センサ３の検出結果に応じた制御信号を出力する制御回路６と、制御回路６から出力される制御信号に従って光源２への出力電力を制御する点灯回路７とを備える。そして、センサ３により人が検出されている間は、制御回路６は点灯回路７に対して点灯信号を出力し、点灯回路７は制御回路６から入力される点灯信号に従って光源２を点灯させる。また逆に、センサ３により人が検出されなくなると、制御回路６は点灯回路７に対して消灯信号を出力し、点灯回路７は制御回路６から入力される消灯信号に従って光源２を消灯させる。ここにおいて、制御回路６及び点灯回路７は、図１に示す器具本体１内に収納されており、光源２又はセンサ３との間がそれぞれ図示しない電線により電気的に接続されている。
【００２０】
ところで、上述したように電波式のセンサ３であっても、透光パネル４の材質や厚み、透光パネル４との距離などによって当該透光パネル４の影響を少なからず受け、検知感度が低下することがある。そこで、本実施形態では、検知感度の低下を抑えるべく、透光パネル４の厚み寸法を調節する透光部材５を透光パネル４に設けている。
【００２１】
透光部材５は、例えば透光パネル４と同じアクリル樹脂からなり、図１及び図２に示すように、透光パネル４においてセンサ３と対向する部位に設けられている。この透光部材５は、センサ３の中心軸Ｐ１を中心とする略すり鉢状に形成されており、中心軸Ｐ１から離れるにつれて厚み寸法（センサ３側への突出量）が大きくなるように設定されている。
【００２２】
ここで、透光部材５の厚み寸法を加えた透光パネル４の厚み寸法をｄ、センサ３から発信される電磁波の波長をλ、透光パネル４及び透光部材５の比誘電率をεｒ、電磁波の透光パネル４への入射角をφ、レドーム次数をＮとすると、
【００２３】
【数２】
2011243463.tif 000004
【００２４】
を満たすように、入射角φに応じて透光部材５の厚み寸法が設定される。そして、上記の１式に従って透光部材５の厚み寸法を設定することで、透光パネル４で反射される電磁波の量を低減することができ、その結果、透光パネル４を透過する電磁波の量を増加させることができて、センサ３の検出感度の低下を抑えることができる。
【００２５】
次に、図２を参照しながら具体的に説明する。透光パネル４は、センサ３の正面方向から入射される（つまり入射角φ＝０°）電磁波に対して最適化されており、その厚み寸法をｔ１とする。また、透光部材５の厚み寸法を、電磁波の入射角φに応じてｔ２（φ）とすると、透光部材５の厚み寸法を加えた透光パネル４の厚み寸法ｄ（φ）は、
ｄ（φ）＝ｔ１＋ｔ２（φ）    ・・・・・・・・・（２式）
となる。そして、上記の１式及び２式に従って透光部材５の厚み寸法ｔ２（φ）を設定することで、透光パネル４は、当該透光パネル４で反射される電磁波の量を低減可能な最適な厚み寸法に設定される。
【００２６】
ここで、本実施形態では、２４ＧＨｚのミリ波を利用したミリ波センサを用いているため、電磁波の波長λ＝３００／（２４×１０３）×１０３＝１２．５（ｍｍ）となる。また、アクリル樹脂からなる透光パネル４及び透光部材５の比誘電率εｒ＝３．０であり、さらに透光パネル４の厚み寸法ｔ１を、入射角φ＝０°に合わせてｔ１＝３．５８（ｍｍ）とする。そして、センサ３と透光パネル４との間の距離Ｌ１＝１５（ｍｍ）とした場合には、透光部材５の厚み寸法ｔ２（φ）は、入射角φに応じて表１に示す値に設定される。なお、表１中の厚み寸法ｄは、上記の１式に従って求めており、厚み寸法ｄから透光パネル４の厚み寸法ｔ１を引いた値が透光部材５の厚み寸法ｔ２となっている。また、表１中のＬ２は、センサ３の中心軸Ｐ１からの距離（入射角φに応じた距離）であり（図２参照）、さらに本例ではレドーム次数Ｎ＝１としてある。
【００２７】
【表１】
2011243463.tif 000005
【００２８】
なお、本実施形態では透光パネル４と透光部材５とを別々に設けているが、両者を一体に成形してもよい。別々に設けた場合には、両者の位置精度によってセンサ３の検知感度にばらつきが生じる可能性があるが、一体に成形した場合には、位置精度による検知感度のばらつきを抑えることができるとともに、透光パネル４への透光部材５の組付作業が不要になるという利点もある。
【００２９】
また、本実施形態では光源として蛍光ランプを用いているが、例えば白熱灯やＬＥＤなどであってもよい。さらに、センサ３についてもミリ波センサに限定されるものではなく、電波式のセンサであれば他のものでもよい。また、透光パネル４及び透光部材５の材質についてもアクリル樹脂に限定されるものではなく、透光性を有するものであれば他のものでもよい。さらに、透光パネル４及び透光部材５の材質は、本実施形態のように同質のものでもいいし、また異質のものでもよい。また、本実施形態では、センサ３により人が検出されなくなると光源２を消灯させているが、例えば所定の調光レベルで光源２を調光点灯させるようにしてもよい。
【００３０】
なお、上述した照明器具Ａを複数用いた場合には、電波式のセンサ３の検知感度の低下を抑えた照明システムを提供することができる。
【符号の説明】
【００３１】
２  光源
３  センサ
４  透光パネル
５  透光部材
７  点灯回路
Ａ  照明器具
【図１】
2011243463.tif 000007
【図２】
2011243463.tif 000008
【図３】
2011243463.tif 000009